(57)【要約】ここに開示される音声認識ドアロック装置は入力キーが押されるごとに対応する入力キー信号を出力するボタン入力部と、外部からアナログ音声信号を受け入れ、前記入力されたアナログ音声信号をデジタル音声信号に変換する音声入力部と、登録モード時、前記デジタル音声信号を受け入れて前記デジタル音声信号から特定音声信号を抽出し、登録しようとするユーザーのＩＤから前記抽出された特定音声信号を第１貯蔵手段に貯蔵する音声分析部と、前記登録モード時、前記ボタン入力部を通じて入力される、パスワードを示す、入力キー信号を第２貯蔵手段に貯蔵する制御部と、前記制御部の制御に従ってドアロックをロックするか、解除するドアロック駆動部とを含む。
2006501387.tif 000002
【特許請求の範囲】
【請求項１】
複数個の入力キーを有し、前記入力キーが押されるごとに対応する入力キー信号を出力する第１入力手段と、
外部からのアナログ音声信号を受け入れ、前記入力されたアナログ音声信号をデジタル音声信号に変換する第２入力手段と、
登録モードの時、前記デジタル音声信号を受け入れて前記デジタル音声信号から特定音声信号を抽出し、登録しようとするユーザーのＩＤとして前記抽出された特定音声信号を第１貯蔵手段に貯蔵する音声分析手段と、
前記登録モードの時、前記第１入力手段を通じて入力される、パスワードを示す入力キー信号を第２貯蔵手段に貯蔵する制御手段と、
前記制御手段の制御に従ってドアロックをロックするか、解除するドアロック駆動手段とを含み、
前記音声分析手段は現在入力されたデジタル音声信号が前記第１貯蔵手段に貯蔵された特定音声信号と一致するか否かを判別し、判別結果として第１フラッグ信号を発生し、
前記現在入力されたデジタル音声信号が前記第１貯蔵手段に貯蔵された特定音声信号と一致するとき、前記制御手段は前記第１フラッグ信号に応答してパスワードとして現在入力された入力キー信号が前記第２貯蔵手段に貯蔵された入力キー信号と一致するか否かを判別し、
前記制御手段は前記現在入力された入力キー信号が前記第２貯蔵手段に貯蔵された入力キー信号と一致するとき、前記ドアロック駆動手段によってドアロックが解除されるように制御することを特徴とする音声認識ドアロック装置。
【請求項２】
前記制御手段の制御に従って音声信号を発生する音声発生手段と、
ドアの開閉状態を感知し、感知結果を前記制御手段に伝達する第１感知手段とをさらに含むことを特徴とする請求項１に記載の音声認識ドアロック装置。
【請求項３】
前記入力キーのうちの一部はドアの外部に配置され、残りは前記ドアの内部に配置されることを特徴とする請求項１に記載の音声認識ドアロック装置。
【請求項４】
前記内部に配置された入力キーの不正操作を感知し、感知結果を前記制御手段に伝達する第２感知手段をさらに含むことを特徴とする請求項３に記載の音声認識ドアロック装置。
【請求項５】
前記内部に配置された入力キーが人によって操作されないとき、前記制御手段は前記第２感知手段から伝達される感知結果に応答して警告音が出力されるように前記音声発生手段を制御することを特徴とする請求項４に記載の音声認識ドアロック装置。
【請求項６】
前記音声分析手段は複合周波数符号発生器を含み、前記制御手段が、前記ドアが強制的に開けられたことを知らせる第２フラッグ信号を発生するとき、前記複合周波数符号発生器は複合周波数符号信号を発生することを特徴とする請求項５に記載の音声認識ドアロック装置。
【請求項７】
前記複合周波数符号信号を送り出す無線送信手段をさらに含むことを特徴とする請求項６に記載の音声認識ドアロック装置。
【請求項８】
前記入力キーはインターホンのキーを含み、
前記インターホンのキーが押されたとき、前記制御手段は訪問者に所定の音声メッセージ信号を出力するように音声発生手段を制御することを特徴とする請求項２に記載の音声認識ドアロック装置。
【請求項９】
前記インターホンのキーが押されたとき、前記制御手段は前記訪問者が伝達しようとするメッセージを残すように前記音声分析手段、前記音声発生手段、および前記第１入力手段を制御することを特徴とする請求項８に記載の音声認識ドアロック装置。
【請求項１０】
前記入力キーは記録キーを含み、
前記記録キーが押されたとき、前記制御手段は外出時に前記ユーザーが伝達しようとするメッセージを残すように前記音声分析手段、前記音声発生手段、および前記第１入力手段を制御することを特徴とする請求項９に記載の音声認識ドアロック装置。
【発明の詳細な説明】
【技術分野】
【０００１】
本発明はドアロックに係わり、さらに具体的には音声認証を通じてドアロックを制御する音声認識ドアロック装置に関する。
【背景技術】
【０００２】
一般的に、ドアロックは機械的な方法によってドアロックを開閉するようになっている。キーをドアロックのキー挿入孔に挿入し、挿入されたキーを回転させることによってドアが開放するようになっている。キーを利用してドアを開閉する方式はキーを紛失したとき、ドアを開放することができないという短所がある。また、部外者がキーを無断盗用して家庭または事務室に無断侵入する場合がたびたび発生するということが上述の開閉方式の他の短所になる。たとえキーを無断盗用しなくても、この分野の熟練者であれば、簡単な方法でもドアロックを解除し、ドアを開放することは容易である。
【０００３】
キーを利用してドアを開閉する方式の問題点を解決するため、ボタン式デジタルドアロックと指紋認識ドアロックが提案されてきた。ボタン式デジタルドアロックの場合、ボタン入力を通じてパスワードが設定される。もし設定したパスワードが部外者に漏洩すれば、部外者の無断侵入を防止しにくいという問題点がある。指紋認識ドアロックの場合、指紋を認識して処理するのに必要な高価な装置を利用するので、設置するのに非常に多くの費用が必要となる。
【発明の開示】
【課題を解決するための手段】
【０００４】
上述の諸般の目的を達成するために本発明の特徴によれば、音声認識ドアロック装置は複数の入力キーを有し、前記入力キーが押されるごとに対応する入力キー信号を出力する第１入力手段と、外部からのアナログ音声信号を受け入れ、前記入力されたアナログ音声信号をデジタル音声信号に変換する第２入力手段と、登録モードの時、前記デジタル音声信号を受け入れて前記デジタル音声信号から特定音声信号を抽出し、登録しようとするユーザのＩＤとして前記抽出された特定音声信号を第１貯蔵手段に貯蔵する音声分析手段と、前記登録モードの時、前記第１入力手段を通じて入力される、パスワードを示す入力キー信号を第２貯蔵手段に貯蔵する制御手段と、前記制御手段の制御に従ってドアロックをロックするか、解除するドアロック駆動手段とを含む。前記音声分析手段は現在入力されたデジタル音声信号が前記第１貯蔵手段に貯蔵された特定音声信号と一致するか否かを判別し、判別結果として第１フラッグ信号を発生する。前記現在入力されたデジタル音声信号が前記第１貯蔵手段に貯蔵された特定音声信号と一致するとき、前記制御手段は前記第１フラッグ信号に応答してパスワードとして現在入力された入力キー信号が前記第２貯蔵手段に貯蔵された入力キー信号と一致するか否かを判別する。前記制御手段は前記現在入力された入力キー信号が前記第２貯蔵手段に貯蔵された入力キー信号と一致するとき、前記ドアロックが前記ドアロック駆動手段によって解除されるように制御する。
【０００５】
前記制御手段の制御に従って音声信号を発生する音声発生手段と、ドアの開閉状態を感知し、感知結果を前記制御手段に伝達する第１感知手段とをさらに含む。前記入力キーのうちの一部はドアの外部に配置され、残りは前記ドアの内部に配置される。前記内部に配置された入力キーの不正操作を感知し、感知結果を前記制御手段に伝達する第２感知手段をさらに含む。前記内部に配置された入力キーが人によって操作されないとき、前記制御手段は前記第２感知手段から伝達される感知結果に応答して警告音が出力されるように前記音声発生手段を制御する。
【０００６】
前記音声分析手段は複合周波数符号発生器を含み、前記制御手段が前記ドアの強制開かれを知らせる第２フラッグ信号を発生するとき、前記複合周波数符号発生器は複合周波数符号(ＤＴＭＦ)信号を発生する。前記複合周波数符号信号を送り出す無線送信手段をさらに含む。前記入力キーはインターホンのキーを含み、前記インターホンのキーを押すとき、前記制御手段は訪問者に所定の音声メッセージ信号を出力するように音声発生手段を制御する。
【０００７】
前記インターホンのキーが押されたとき、前記制御手段は前記訪問者が伝達しようとするメッセージを残すように前記音声分析手段、前記音声発生手段、および前記第１入力手段を制御する。前記入力キーは記録キーを含み、前記記録キーが押されたとき、前記制御手段は外出時に前記ユーザーが伝達しようとするメッセージを残すように前記音声分析手段、前記音声発生手段、および前記第１入力手段を制御する。
【発明を実施するための最良の形態】
【０００８】
本発明の望ましい実施形態が以下添付の図に基づいて詳細に説明する。図１は本発明による音声認識ドアロック装置を示す図である。図１を参照すれば、本発明の音声認識ドアロック装置１００は音声入力部１１０、音声分析部１２０、第１貯蔵手段１３０、ボタン入力部１４０、制御部１５０、第２貯蔵手段１６０、音声発生部１７０、駆動部１８０、ドアロック１９０、第１および第２感知部２００、２１０、電源供給部２２０、および無線送信器２３０を含む。電源供給部２２０はバッテリで構成され、音声認識ドアロック装置１００に必要な電源を供給する。
【０００９】
先ず、音声入力部１１０はアナログ音声信号を受け入れ、入力されたアナログ音声信号をデジタル音声信号に変換する。たとえ図示しないが、音声入力部１１０はアナログ音声信号(ａｎａｌｏｇ ｖｏｉｃｅ ｓｉｇｎａｌ)を受け入れるためのマイクロホン (ｍｉｃｒｏｐｈｏｎｅ) (またはマイク)とアナログ音声信号をデジタル音声信号(ｄｉｇｉｔａｌ ｖｏｉｃｅ ｓｉｇｎａｌ)に変換するためのアナログ−デジタル変換器(ａｎａｌｏｇ−ｔｏ−ｄｉｇｉｔａｌ ｃｏｎｖｅｒｔｏｒ)とを含む。しかし、音声入力部１００が設計者および応用先に従って多様な方法に設計されることができることはこの分野の通常的な知識を習得した者などに自明である。音声分析部１２０は音声入力部１１０から出力されるデジタル音声信号から特定音声信号を抽出し、抽出された特定音声信号を第１貯蔵手段１３０に貯蔵する。音声分析部１２０は、特に、登録モード時に制御部１５０の制御に応答して登録しようとする人の特徴的な音声を抽出する。そのように抽出された特性音声信号は音声分析部１２０の制御に従って第１貯蔵手段１３０に貯蔵される。音声分析部１２０は、待機状態で、現在入力されたデジタル音声信号が第１貯蔵手段１３０に貯蔵された特定音声信号と一致するか否かを判別し、判別結果を制御部１５０に出力する。第１貯蔵手段１３０は登録しようとする人の固有の特定音声信号を貯蔵するための不揮発性メモリ(例えば、フラッシュメモリ、ＥＥＰＲＯＭ、など)で構成される。
【００１０】
続いて、図１を参照すれば、ボタン入力部１４０は、図示しないが、複数個の入力キーを含む。例えば、複数個の入力キーは数字キー、登録キー、記録キー、再生／停止キー、開／閉キー、エンターキー、インターホンのキーなどを含む。複数個の入力キーのうちの一部 (例えば、数字キー、エンターキー、およびインターホンのキー)はドアの外部に位置し、残り(例えば、記録キー、再生／停止キー、開／閉キー、登録キー)はドアの内部に位置する。このようなキーについては以後詳細に説明する。
【００１１】
制御部１５０は音声分析部１２０、ボタン入力部１４０、第２貯蔵手段１６０、感知部２００、２１０、駆動部１８０、および音声発生部１７０と連結されている。制御部１５０はボタン入力部１４０の入力キーのうちの押された入力キーに対応するキー信号に応答して登録過程、認証過程、メッセージ録音／再生過程、などを制御する。例えば、ユーザーのＩＤ、個人パスワード、および家族パスワードを登録する登録モードにおいて、制御部１５０はボタン入力部１４０を通じて入力される登録信号(登録キーを押したときに生成される信号)に応答して音声分析部１２０が入力されたデジタル音声信号から特定音声信号 (これはユーザのＩＤとして使用される)を抽出するようにする。制御部１５０は、登録モードで、ボタン入力部１４０を通じて入力される個人パスワード／家族パスワードを第２貯蔵手段１６０に貯蔵する。制御部１５０は待機状態でパスワードとしてボタン入力部１４０を通じて入力されたキー信号が第２貯蔵手段１６０に貯蔵された個人パスワード／家族パスワードと一致するか否かを判別する。制御部１５０は登録過程に必要な音声メッセージが出力されるように音声発生部１７０を制御する。
【００１２】
図１に示した駆動部１８０は制御部１５０の制御に応答してドアロック１９０をロックするか、解除する。例えば、現在入力されたデジタル音声信号が第１貯蔵手段１３０に貯蔵された特定音声信号と一致し、パスワードとしてボタン入力部１４０を通じて入力されたキー信号が第２貯蔵手段１６０に貯蔵された個人パスワードと一致するとき、制御部１５０はドアロック解除情報を駆動部１８０に出力する。駆動部１８０は制御部１５０からのドアロック解除情報に応答してドアロック１９０のロック状態を解除する。第１感知部２００はドアの開閉の有無を感知し、感知結果を制御部１５０に伝達する。制御部１５０は感知結果に従って必要な音声メッセージを出力するように音声発生部１７０を制御する。第２感知部２１０はドアの内部に配置された入力キーが不正操作されるか否かを感知し、感知結果を制御部１５０に伝達する。例えば、第２感知部２１０はドアの内部に配置された入力キーが人によって押されたか、または部外者によって操作される器具によって押されたかを感知することができる赤外線センサで構成されることができる。
【００１３】
図１に示したように、音声分析部１２０は複合周波数符号発生器(ｄｕａｌ ｔｏｎｅ ｍｕｔｌｉｆｒｅｑｕｅｎｃｙ ｇｅｎｅｒａｔｏｒ)(以下、“ＤＴＭＦ発生器”という)を含む。前記制御部１５０が、ドアが強制的に開けられたことを知らせる時、音声分析部１２０のＤＴＭＦ発生器は制御部１５０の知らせに応答してＤＴＭＦ信号を発生する。そのように発生されたＤＴＭＦ信号は無線送信器(ＲＦＴＸ)２３０を通じて外部(例えば、警備室)に送り出されるであろう。ドアが強制的に開けられたことは多様な方法(例えば、ドアの取っ手の過度な動きを感知すること)によって感知されることができる。
【００１４】
本発明の音声認識ドアロック装置１００によれば、ドアロックのロックを解除するためには、出入しようとする人の音声信号が登録された特定音声信号と一致し、入力されたパスワードが貯蔵されたパスワードと一致しなければならない。すなわち、音声を通じた認証およびパスワードの入力を通じた認証の組み合わせによってドアを開放することによって(または音声入力およびボタン式パスワード入力を利用した二重保安体系を実現することによって) 部外者の無断侵入を根本的に防止することができる。
【００１５】
図２は本発明による音声認識ドアロック装置の登録過程を説明するための流れ図である。
【００１６】
ユーザーのＩＤおよび個人／家族パスワードを登録するため、ユーザー(または登録しようとする人)はボタン入力部１４０にある登録キーを押さなければならない。もし登録キー信号(または登録信号)が入力されれば(Ｓ１００)、制御部１５０は登録信号に応答して駆動部１８０を制御する。このような制御に従って、駆動部１８０はドアロック１９０のロック状態を解除する。その次に、ドアロック１９０のロック状態が解除された後、制御部１５０は3番メッセージ(図６参照、“ドアが開きました”)の音声信号が出力されるように音声発生部１７０を制御する。このような過程はＳ１１０段階で実行される。３番メッセージの出力の後に、所定時間(例えば、１０秒間)が経過したか否かが判別される(Ｓ１２０)。所定時間が経過すれば、２３番メッセージ(図６参照、“1番は家族番号登録、 4番はユーザー登録、０番は再生および削除です”)を出力する(Ｓ１３０)。
【００１７】
次の段階(Ｓ１４０)で、制御部１５０はボタン入力部１４０を通じてどんな番号が入力されたかを判別する。制御部１５０は１番キーが入力されるとき、家族パスワードを登録する過程を実行し、４番キーが入力されるとき、個人ＩＤおよびパスワードを登録する過程を実行し、０番キーが入力されるとき、登録された個人ＩＤを再生／削除する過程を実行するであろう。さらに具体的な説明は下のとおりである。
【００１８】
まず、１番キーが入力される場合、音声発生部１７０は制御部１５０の制御下に１４番メッセージ(図６参照、“家族パスワードを押した後、エンターキーを押してください”)を出力する(Ｓ１５０)。家族パスワードの入力はボタン入力部１４０を通じて行われる。家族パスワードを指定するとき、連続するキー入力は所定時間(例えば、１０秒間)内に実行されなければならない。もし連続するキー入力間の時間が１０秒を経過すれば、手続きははじめから再び家族パスワードを入力するようにＳ１５０段階に進行する。このような過程はＳ１６０およびＳ１７０段階を通じて行われる。入力された家族パスワードは制御部１５０の制御に従って第２貯蔵手段１６０に貯蔵される。もし１０秒内に連続してキーが入力されれば、制御部１５０は入力終了キーとしてエンターキーが押されたか否かを判別する(Ｓ１８０)。もしそうであれば、制御部１５０の制御に従って音声発生部１７０は１６番メッセージ(図６参照、“登録が終わりました”)を出力する(Ｓ１９０)。次の段階(Ｓ２００)で、制御部１５０は登録信号が入力されたか否かを判別する。登録キーが再度押される場合、登録手続きは終わる。登録キーが押されない場合、登録された家族パスワードを再生するか、削除するように、そして個人ＩＤおよびパスワードを入力するように手続きはＳ１３０段階に進行する。
【００１９】
Ｓ１４０段階で４番キーが入力される場合、制御部１５０は７番メッセージ(図６参照、“個人ＩＤをお願いします”)を出力するように音声発生部１７０を制御する (Ｓ２１０)。この際、音声分析部１２０は制御部１５０との通信を通じて音声入力部１１０からのデジタル音声信号を分析する準備をする。ユーザーは音声メッセージに従って登録しようとする個人ＩＤを音声として言う(Ｓ２２０)、個人ＩＤとしてアナログ音声信号は音声入力部１１０を通じてデジタル音声信号に変換され、デジタル音声信号は音声分析部１２０に伝達される。音声分析部１２０はデジタル音声信号のうちの特定音声信号を抽出する。その次に、制御部１５０の制御に従って８番メッセージ(図６参照、“もう一度お願いします”)が出力されれば(Ｓ２３０)、ユーザーは再度個人ＩＤを言う(Ｓ２４０)。
【００２０】
次の段階(Ｓ２５０)で、音声分析部１２０は２回入力された個人ＩＤに対応するデジタル音声信号が一致するか否かを判別する。もし一致しなければ、個人ＩＤ入力過程が２回繰り返されたか否かが判別される(Ｓ２６０)。もしそうではなければ、手続きはＳ２１０ 段階に進行する。もしそうであれば、１８番メッセージ(図６参照、“登録されません”)が出力された後(Ｓ２７０)、手続きはＳ２００段階に進行する。Ｓ２５０段階で、２回入力されたデジタル音声信号が一致すれば、制御部１５０は１５番メッセージ(図６参照、“個人パスワードを押した後エンターキーを押してください”)を出力するように音声発生部１７０を制御する。個人パスワードの入力はボタン入力部１４０を通じて行われる。個人パスワードを指定するとき、連続するキー入力は所定時間(例えば、１０秒間)内に実行されなければならない。もし連続するキー入力間の時間が１０秒を経過すれば、手続きははじめから再び個人パスワードを入力するようにＳ２８０段階に進行する。このような過程はＳ２９０およびＳ３００段階を通じて行われる。入力された個人パスワードは制御部１５０の制御に従って第２貯蔵手段１６０に貯蔵される。もし１０秒内に連続してキーが入力されれば、 制御部１５０は入力終了キーとしてエンターキーが押されたか否かを判別する(Ｓ３１０)。 もしそうであれば、制御部１５０の制御に従って音声発生部１７０は１６番メッセージ(図６参照、“登録が終わりました”)を出力する(Ｓ３２０)。その次に、手続きはＳ２００ 段階に進行し、次の段階(Ｓ２００)で制御部１５０は登録過程を終了するための登録信号(登録キーを押すときに生ずる信号)が入力されたか否かを判別する。登録キーが再度押される場合、登録手続きは終わる。登録キーが押されない場合、登録された家族パスワード／個人パスワードを再生するか、削除するように、そして個人ＩＤおよびパスワードを入力するように手続きはＳ１３０段階に進行する。
【００２１】
最後に、Ｓ１４０段階で０番キーが入力される場合、制御部１５０は２２番メッセージ(図６参照、“再生中エンターキーを押せば削除されます”)を出力するように音声発生部１７０を制御する。２２番メッセージが出力された後、登録された個人ＩＤに該当する音声信号が再生される(Ｓ３４０)。制御部１５０は再生中にエンターキーが入力されたか否かを判別する(Ｓ３５０)。もしそうではなければ、登録された音声信号が全部順次に再生される。もしそうであれば、対応する音声信号を削除した後(Ｓ３６０)、手続きはＳ１３０段階に進行する。登録声が全部再生される場合、エンターキーの入力と関係なく、Ｓ１３０段階に進行する。
【００２２】
図３は本発明による音声認識ドアロック装置の認証過程を説明するための流れ図である。外出後にドアを開くためには下の説明の認証過程を通さなければならない。
【００２３】
まず、制御部１５０は任意のキーが押されたか否かを判別する(Ｓ４００)。もし任意のキーが押されれば、音声発生部１７０を通じて７番メッセージ(図６参照、“個人ＩＤをお願いします”)が出力される(Ｓ４１０)。この際、音声分析部１２０は制御部１５０との通信を通じて音声入力部１１０からのデジタル音声信号を分析する準備をする。出入しようとする人はメッセージの出力に従って個人ＩＤを言い、個人ＩＤとしてアナログ音声信号は音声入力部１１０を通じてデジタル音声信号に変換され、音声分析部１２０は現在入力されたデジタル音声信号が第１貯蔵手段１３０に貯蔵された特定音声信号と一致するか否かを判別する(Ｓ４２０)。もしそうであれば、１１番メッセージ(図６参照、“個人パスワードを押してください”)を出力する(Ｓ４３０)。その次に、制御部１５０は入力された個人パスワードが第２貯蔵手段１６０に貯蔵された登録個人パスワードと一致するか否かを判別する(Ｓ４４０)。
【００２４】
もし入力された個人パスワードが登録された個人パスワードと一致しなければ、制御部１５０は入力過程が３回番繰り返されたか否かを判別する(Ｓ４５０)。もしそうではなければ、手続きはＳ４３０段階に進行する。もしそうであれば、所定時間 (例えば、１分間)の間、警告音が発生された後(Ｓ４６０)認証過程が終わる。もし入力された個人パスワードが登録された個人パスワードと一致すれば、制御部１５０はドアロック１９０のロック状態が解除されるように駆動部１８０を制御し、３番メッセージ(図６参照、“ドアが開きました”)を出力するように音声発生部１７０を制御する(Ｓ４７０)。ドアが閉まれば、ドアロック１９０は自動的にロックされ(Ｓ４８０)、認証過程が終わる。
【００２５】
Ｓ４２０段階で、もし入力された個人ＩＤが以前に貯蔵されたＩＤと一致しなければ、 任意のキーが押されたか否かが判別される(Ｓ４９０)。もしそうではなければ、個人ＩＤ入力過程が３回繰り返されたか否かが判別される(Ｓ５００)。もし個人ＩＤ入力過程が ３回繰り返されなければ、手続きはＳ４１０段階に進行する。もし個人ＩＤ入力過程が３回繰り返されれば、所定時間(例えば、１分間)の間、警告音が出力された後(Ｓ５１０)、認証過程が終わる。Ｓ４９０段階で、任意のキーが押されれば、１４番メッセージ(図６参照、“家族パスワードを押してください”)が出力される(Ｓ５２０)。制御部１５０はメッセージの出力に従って入力された家族パスワードが以前に貯蔵されたパスワードと一致するか否かを判別する(Ｓ５３０)。もしそうであれば、手続きはＳ４７０段階に進行する。もしそうではなければ、認証過程は終わる。
【００２６】
Ｓ４９０、Ｓ５２０、Ｓ５３０段階は非常時(例えば、声がかれるか、他の異常症状によって個人認証が難しい場合)に家族パスワードだけの認証を通じて出入しようとする場合に使用される。
【００２７】
このような認証過程によれば、家庭または事務室の保安を保障することができ、機械式ドアロックのようにキーを携帯しなければならない不便さとボタン式ドアロックのパスワード漏洩のおそれを補って家庭または事務室の保安を高めることができる。
【００２８】
図４は本発明による音声認識ドアロック装置のインターホン機能およびメッセージ録音機能を説明するための流れ図である。本発明による音声認識ドアロック装置１００はインターホン機能を提供する。インターホン機能は外部訪問者の訪問に対応するので、即刻に対処する必要がない。また、複雑な配線を除去して美しい美観およびユーザーの趣向に応じることができる。また、メッセージ録音機能を提供することによって、訪問者が伝達しようとするメッセージを録音することができる。本発明の音声認識ドアロック装置１００のインターホンおよびメッセージ録音機能は次のように実行されることができる。
【００２９】
まず、制御部１５０はインターホンのキーが押されたか否かを判別する(Ｓ６００)。これはボタン入力部１４０を通じてインターホンのキーに対応するキー信号が入力されたか否かを判別することによって行われる。もしインターホンのキー信号が入力されれば、制御部１５０は 1番メッセージ(図６参照、“どなたですか”)が出力されるように音声発生部１７０を制御する。所定時間が経過した後、制御部１５０は９番メッセージ(図６参照、“１番は録音、３番は取り消しです”)が出力されるように音声発生部１７０を制御する。所定時間 (例えば、１０秒間)が経過すれば(Ｓ６３０)、手続きは終わる。もしそうではなければ、どんなキーが押されたかが判別される(Ｓ６４０)。もし３番キーが押されれば、手続きは終わる。
【００３０】
もし１番キーが押されれば、制御部１５０の制御に従って音声発生部１７０は２番メッセージ(図６参照、“メッセージをお願いします”)を出力する(Ｓ６５０)。訪問者のメッセージは所定時間(例えば、１０秒間)の間、録音される(Ｓ６６０)。録音過程は、例えば、音声分析部１２０の制御下に第１貯蔵手段１３０に貯蔵されるであろう。その次に、１０番メッセージ (図６参照、“エンターキーは終了、２番キーは再生、３番キーは取り消しです”)が出力された後(Ｓ６７０)、どんなキーが押されたかが判別される(Ｓ６８０)。これは制御部１５０を通じて行われる。エンターキーが入力された場合、手続きは終わる。もし３番キーが入力されれば、２０番メッセージ(図６参照、“取り消されました”)を出力した後 (Ｓ７００)、手続きはＳ６２０段階に進行する。もし２番キーが入力されれば、録音内容が再生され(Ｓ６９０)、手続きはＳ６２０段階に進行する。
【００３１】
図５は本発明による音声認識ドアロック装置の家族メッセージ録音機能を説明するための流れ図である。本発明による音声認識ドアロック装置１００は外出する人が次に入ってくる人にメッセージを残すことができる家族メッセージ録音機能を提供する。家族メッセージ録音機能を提供することによって、家庭または事務室でユーザーの便宜をはかって留守中の次のユーザーに伝えるメッセージや外部訪問者が残したメッセージを伝達してくれるので、消費者の趣向に応じることができる。
【００３２】
まず、制御部１５０はボタン入力部１４０の録音キーが押されたか否かを判別する(Ｓ８００)。もしそうであれば、制御部１５０は駆動部１８０を制御してドアロック１９０のロック状態が解除されるようにし、３番メッセージ(図６参照、“ドアが開きました”)が出力されるように音声発生部１７０を制御する(Ｓ８１０)。その次に、ドアが開いたか否かが判別される(Ｓ８２０)。これは第１感知部２００および制御部１５０を通じて行われる。所定時間の間ドアが開かなければ、ドアロック１９０が閉ざされた後(Ｓ８４０)、手続きは終わる。もしドアが開けられれば、所定時間の後にドアが閉まるか否かが判別される(Ｓ８５０)。これは第１感知部２００および制御部１５０を通じて行われる。もしドアが閉まらなければ、所定時間(例えば、１０秒)の後に手続きは終わる。
【００３３】
Ｓ８５０段階でドアが閉まったら、所定時間が経過し(Ｓ８７０)、制御部１５０はドアロック１９０が閉まるように駆動部１８０を制御する(Ｓ８８０)。その次に、制御部１５０の制御に従って音声発生部１７０は４番メッセージ(図６参照、“ドアが閉まりました”)を出力する(Ｓ８９０)。続いて、制御部１５０は９番メッセージ(図６参照、“１番は録音、３番は取り消しです”)が出力されるように音声発生部１７０を制御する(Ｓ９００)。所定時間(例えば、１０秒間)が経過すれば(Ｓ９１０)、手続きは終わる。もしそうではなければ、どんなキーが押されたかが判別される(Ｓ９２０)。もし３番キーが押されれば、手続きは終わる。
【００３４】
もし１番キーが押されたら、制御部１５０の制御に従って音声発生部１７０は２番メッセージ(図６参照、“メッセージをお願いします”)を出力する(Ｓ９３０)。外出者のメッセージは所定時間(例えば、１０秒間)の間録音される(Ｓ９４０)。録音過程は、例えば、音声分析部１２０の制御下に第１貯蔵手段１３０に貯蔵されるであろう。その次に、１０番メッセージ(図６参照、“エンターキーは終了、２番キーは再生、３番キーは取り消しです”)が出力された後(Ｓ９５０)、どんなキーが押されたかが判別される(Ｓ９６０)。これは制御部１５０を通じて行われる。エンターキーが入力された場合、手続きは終わる。もし３番キーが入力されれば、２０番メッセージ(図６参照、"取り消されました“)を出力した後 (Ｓ９８０)、手続きはＳ９００段階に進行する。もし２番キーが入力されれば、録音内容が再生され(Ｓ９７０)、手続きはＳ９００段階に進行する。
【００３５】
以上では、本発明による回路の構成および動作を上述の説明および図に従って図示したが、これは例をあげて説明したことに過ぎず、本発明の技術的思想および範囲を逸脱しない範囲内で多様な変化および変更が可能であることはもちろんである。
【産業上の利用可能性】
【００３６】
上述のように、本発明の認証過程によれば、家庭または事務室の保安を保障することができ、機械式ドアロックのようにキーを携帯しなければならない不便さとボタン式ドアロックのパスワード漏洩のおそれを補って家庭または事務室の保安を高めることができる。
【００３７】
その次に、インターホン機能を提供することによって、外部訪問者の訪問に代わりに応じるので、即刻に対処する必要がない。複雑な配線を除去して美しい美観および消費者の趣向に応じることができる。メッセージ録音機能を提供することによって、訪問者が伝達しようとするメッセージを録音することができる。
【００３８】
最後に、家族メッセージ録音機能を提供することによって、家庭または事務室でユーザーの便宜をはかって留守中の次のユーザーに伝えるメッセージや外部訪問者が残したメッセージを伝達してくれるので、消費者の趣向に応じることができる。
【図面の簡単な説明】
【００３９】
【図１】本発明による音声認識ドアロック装置を示すブロック図である。
【図２Ａ】本発明による音声認識ドアロック装置の登録過程を説明するための流れ図である。
【図２Ｂ】本発明による音声認識ドアロック装置の登録過程を説明するための流れ図である。
【図３Ａ】本発明による音声認識ドアロック装置の認証過程を説明するための流れ図である。
【図３Ｂ】本発明による音声認識ドアロック装置の認証過程を説明するための流れ図である。
【図４】本発明による音声認識ドアロック装置のベルおよびメッセージ録音機能を説明するための流れ図である。
【図５Ａ】本発明による音声認識ドアロック装置の家族メッセージ録音機能を説明するための流れ図である。
【図５Ｂ】本発明による音声認識ドアロック装置の家族メッセージ録音機能を説明するための流れ図である。
【図６】図２乃至図４で使用される各メッセージの内容を示す図である。
【符号の説明】
【００４０】
１００  音声認識ドアロック装置
１１０  音声入力部
１２０  音声分析部
１３０，１６０  貯蔵手段
１４０  ボタン入力部
１５０  制御部
１７０  音声発生部
１８０  駆動部
１９０  ドアロック
２００、２１０  感知部
２２０  電源供給部
２３０  無線送信器
【図１】
2006501387.tif 000003
【図２Ａ】
2006501387.tif 000004
【図２Ｂ】
2006501387.tif 000005
【図３Ａ】
2006501387.tif 000006
【図３Ｂ】
2006501387.tif 000007
【図４】
2006501387.tif 000008
【図５Ａ】
2006501387.tif 000009
【図５Ｂ】
2006501387.tif 000010
【図６】
2006501387.tif 000011
【国際調査報告】
2006501387.tif 000012